(57)【要約】【課題】カットソー用の耐摩耗性ニット生地を提供する。【解決手段】生地表裏の両面に同じ編み目模様を有し、ポリアミド６６系の高耐摩耗性ナイロン繊維を含む編み糸１３からなる編地であり、編み目模様が凸条部１と凹条部２を交互に配置した縞模様をなし、生地の一方面の凸条部１と他方面の凹条部２が生地表裏の相反する位置にある。【選択図】図１
0003230379.tif 000002
【実用新案登録請求の範囲】
【請求項１】
生地表裏の両面に同じ編み目模様を有し、ポリアミド６６系の高耐摩耗性ナイロン繊維を含む編み糸からなる編地であり、
編み目模様が凸条部と凹条部を交互に配置した縞模様をなし、生地の一方面の凸条部と他方面の凹条部が生地表裏の相反する位置にあることを特徴とするカットソー用の耐摩耗性ニット生地。
【請求項２】
編み糸は、高耐摩耗性ナイロン繊維の短繊維と他の化学繊維の短繊維との混紡糸もしくは、高耐摩耗性ナイロン繊維の短繊維と天然繊維の短繊維との混紡糸であることを特徴とする請求項１に記載のカットソー用の耐摩耗性ニット生地。
【請求項３】
編み糸は、高耐摩耗性ナイロン繊維の長繊維のみからなるナイロン糸であることを特徴とする請求項１に記載のカットソー用の耐摩耗性ニット生地。
【請求項４】
編地は、二重編みのワッフル素材であることを特徴とする請求項１に記載のカットソー用の耐摩耗性ニット生地。
【請求項５】
凸条部は、幅が０．１から０．５ｃｍであることを特徴とする請求項１に記載のカットソー用の耐摩耗性ニット生地。
【請求項６】
凹条部は、幅が０．１から０．５ｃｍであることを特徴とする請求項１に記載のカットソー用の耐摩耗性ニット生地。
【請求項７】
請求項１から６の何れか１項に記載のカットソー用の耐摩耗性ニット生地からなることを特徴とするアパレル。
【考案の詳細な説明】
【技術分野】
【０００１】
本考案は、アパレルのカットソー用の生地に関し、一種の耐磨耗性ニット生地に係るものである。
【背景技術】
【０００２】
人々の生活水準の向上に従って、服装に対する品質要求がますます高くなり、快適性、機能性、美観性などの特徴が追及されている。
【０００３】
生地の組織構造は服装の着心地に大きな影響を与えている。ワッフル素材は組織構造が表面に格子状の凹凸をなす編み目模様を有し、その特殊な凹凸効果により、柔らかい肌触りの接触感がよく、通気性がよく、快適で人気がある。しかし、表面の凹凸は接触物体との摩擦面積が小さいために、耐磨耗性が悪く、擦りやすくなり、生地の使用範囲と使用寿命が制限されている。
【０００４】
インビスタ（INVISTA）社が開発したポリアミド６６系の高耐摩耗性ナイロン繊維であるコーデュラ（CORDURA）（登録商標）ナイロンは優れた耐磨耗性と強度を持ち、軍隊製品、バッグ製品などに広く使われている。
【０００５】
特許文献１には、抗ピリングおよび抗スナッグを有し、難燃性も有する衣料用編物が記載されている。これは、衣料用編物であって、外気側面に凹凸を有し、かつ紡績糸が外気側面に配されており、紡績糸に融点４００℃以上の難燃繊維が含まれている。難燃繊維はメタ型全芳香族ポリアミド繊維であり、紡績糸が２本以上合撚されて合撚糸として外気側面に配されており、合撚糸において、英式綿番手で１５〜４０の範囲内である、
【先行技術文献】
【特許文献】
【０００６】
【特許文献１】特開２０１９−１８９９５７
【考案の概要】
【考案が解決しようとする課題】
【０００７】
ワッフル素材は、ミリタリーウェアなどでもよく使われる「機能素材」であり、通常の素材よりも高機能で「高い防寒性」「着用快適性」などに富んでいる。しかし、上記したように表面の凹凸と接触物体の摩擦面積が小さいため、耐磨耗性が悪くなり、擦りやすくなり、生地の使用範囲と使用寿命が制限されている。
【０００８】
本考案は上記課題を解決するものであり、カットソー用の耐摩耗性ニット生地を提供することを目的とする。
【課題を解決するための手段】
【０００９】
上記課題を解決するために、本考案に係るカットソー用の耐摩耗性ニット生地は、生地表裏の両面に同じ編み目模様を有し、ポリアミド６６系の高耐摩耗性ナイロン繊維を含む編み糸からなる編地であり、編み目模様が凸条部と凹条部を交互に配置した縞模様をなし、生地の一方面の凸条部と他方面の凹条部が生地表裏の相反する位置にあることを特徴とする。
【００１０】
本考案に係るカットソー用の耐摩耗性ニット生地において、編み糸は、高耐摩耗性ナイロン繊維の短繊維と他の化学繊維の短繊維との混紡糸もしくは、高耐摩耗性ナイロン繊維の短繊維と天然繊維の短繊維との混紡糸であることを特徴とする。
【００１１】
本考案に係るカットソー用の耐摩耗性ニット生地において、編み糸は、高耐摩耗性ナイロン繊維の長繊維のみからなるナイロン糸であることを特徴とする。
【００１２】
本考案に係るカットソー用の耐摩耗性ニット生地において、編地は、二重編みのワッフル素材であることを特徴とする。
【００１３】
本考案に係るカットソー用の耐摩耗性ニット生地において、凸条部は、幅が０．１から０．５ｃｍであることを特徴とする。
【００１４】
本考案に係るカットソー用の耐摩耗性ニット生地において、凹条部は、幅が０．１から０．５ｃｍであることを特徴とする。
【００１５】
本考案に係るアパレルは、上記の何れかのカットソー用の耐摩耗性ニット生地からなることを特徴とする。
【考案の効果】
【００１６】
本考案に係るカットソー用の耐摩耗性ニット生地によれば、編み糸がポリアミド６６系の高耐摩耗性ナイロン繊維を含み、編み目模様が凸条部と凹条部を交互に配置した縞模様をなすので、表面の編み目模様が独特な視覚効果をもたらす。また、良好な吸汗速乾性、通気性があり、体が汗をかいてもべたつかず、凹凸構造が着用時の肌触りの接触感を向上させ、快適性が高いものである。
【００１７】
ポリアミド６６系の高耐摩耗性ナイロン繊維を含む編み糸で編みたてることで、表面の突起が摩擦物体と接触しても破れにくいものであり、素材と服装の耐磨耗性と破裂強度が大きく向上した。
【図面の簡単な説明】
【００１８】
【図１】本実用新案の実施の形態に係る耐磨耗性ニット生地の組織を示す模式図である。
【図２】同実施の形態に係る耐磨耗性ニット生地を示す平面図である。
【考案を実施するための形態】
【００１９】
以下、本考案の実施の形態を図面に基づいて説明する。以下において説明する実施の形態は本考案の一部の実施の形態だけであって、全ての実施の形態ではないことは明らかである。
（実施例１）
図１、２に示すように、本実施例１に係るカットソー用の耐摩耗性ニット生地１０は、編地が二重編みのワッフル素材であり、生地表裏の一方面の表組織１１と他方面の裏組織１２からなる。耐摩耗性ニット生地１０は、生地表裏の両面に同じ編み目模様を有し、編み糸１３がポリアミド６６系の高耐摩耗性ナイロン繊維を含むものである。
【００２０】
編み目模様は凸条部１と凹条部２を交互に配置した縞模様をなす。生地１０の一方面の表組織１１における凸条部１と、他方面の裏組織１２における凹条部１２とが生地表裏の相反する位置にある。
【００２１】
ワッフル素材は、表面に格子状の凹凸模様があり、伸縮性に富み、保湿性が高く、肌にべとつかない編み地である。本実施例１においても耐摩耗性ニット生地１０の編み目模様は、縦格子状の凸条部１の相互間にある凹条部１２が複数の編み目２ａをハニカム状に備えている。
【００２２】
高耐摩耗性ナイロン繊維には、例えばコーデュラ（CORDURA）（登録商標）ナイロンで、INVISTA社製  T420 Nylon66の高靭性ナイロンがある。編み糸１３は、高耐摩耗性ナイロン繊維の短繊維と他の化学繊維の短繊維との混紡糸もしくは、高耐摩耗性ナイロン繊維の短繊維と天然繊維の短繊維との混紡糸である。また、編み糸１３は、高耐摩耗性ナイロン繊維の長繊維１００％からなるナイロン糸とすることもできる。このように、異なる糸を使用することで、それぞれ異なる手触りと風合いのある素材とすることが出来る。
【００２３】
例えば、高耐摩耗性ナイロン繊維の短繊維と天然繊維である綿の短繊維との混紡糸を使用して、編みたてられるカットソー用の耐摩耗性ニット生地１０は手触りがソフトで、風合いが良い。
【００２４】
混紡糸において高耐摩耗性ナイロン繊維の短繊維と天然繊維である綿の短繊維との混合比率は、限定的なものではない。例えば高耐摩耗性ナイロン繊維の含有率は１０％、２０％、３０％、４０％、５０％、６０％、７０％、８０％、９０％等で、残りが綿の短繊維の含有率であり、合わせて１００％となる。高耐摩耗性ナイロン繊維の含有率は、先に述べた数値以外の混合比率でも適用可能である。好ましい混合比率は、高耐摩耗性ナイロン繊維の短繊維の含有率が４０％で、綿の短繊維の含有率が６０％である。
【００２５】
同様に、編み糸１３の太さも限定されず、混紡糸は番手が１６/１、２０/１、３０/１、４０/１、５０/１のなどの糸が使用できる。本実施例１では編み糸１３に番手が３０／１の混紡糸を使用し、高耐摩耗性ナイロン繊維にコーデュラ（CORDURA）（登録商標）ナイロンを使用している。
【００２６】
また、編み糸１３には、高耐摩耗性ナイロン繊維の長繊維が１００％であるフィラメント糸を使用すること可能である。編み糸１３がフィラメント糸である場合にも太さに限定はなく、繊度が５０Ｄ、７０Ｄ、１００Ｄ、１５０Ｄなどの糸を使用でき、必要に応じて任意の繊度の糸を選択出来る。フィラメント糸を使用することで、耐摩耗性ニット生地１０は手触りが滑らかで、肌触りが涼しく感じられる生地となる。この高耐摩耗性ナイロン繊維の長繊維にもコーデュラ（CORDURA）（登録商標）ナイロンの使用が可能である。
【００２７】
また、耐摩耗性ニット生地１０は、凸条部１の幅が０．１から０．５ｃｍであり、凹条部２の幅が０．１から０．５ｃｍであり、生地の手触りがソフトで快適であり、優れた耐磨耗性、吸汗速乾性、通気性を備えている。
（実施例２）
本考案に係るアパレルは、上記のカットソー用の耐摩耗性ニット生地１０からなる。アパレルとしては、ポロシャツ、Ｔシャツ、ベスト、ズボンなどがある。
【００２８】
上述したように、本実用新案に係る耐磨耗性ニット生地によれば、編み目模様が凸条部１と凹条部２を交互に配置した縞模様をなし、縦格子状の凸条部１の相互間にある凹条部１２が複数の編み目２ａをハニカム状に備えているので、生地表面は独特の視覚効果を有し、また吸汗速乾性と通気性などに優れている。
【００２９】
また、編み糸１３がポリアミド６６系の高耐摩耗性ナイロン繊維を含むものであるので、生地表面の凸条部１が物体との接触面積が小さくても、耐摩耗性と破裂強度が大幅に向上する。
【００３０】
本実用新案は、上記例示の実施形態の詳細に限定されるのではなく、本実用新案の精神または基本的特徴から逸脱することなく、他の具体的な形によっても実現することが出来ることは明らかである。
【００３１】
したがって、いずれの点から見ても、上記の実施例１、２は例示的なものであり、かつ非限定的であり、本実用新案の範囲は、上記の説明に限定されるものではなく、添付の実用新案登録請求の範囲によって定義される。よって、均等要件を満たすニット生地は、本実用新案に含まれる。
【符号の説明】
【００３２】
１    凸条部
２    凹条部
２ａ  編み目
１０    耐摩耗性ニット生地
１１    一方面の表組織
１２    他方面の裏組織
１３    編み糸
【図１】
0003230379.tif 000003
【図２】
0003230379.tif 000004